(57)【要約】  紙幣処理装置１０は、紙幣、金券のいずれも収納して繰り出すことができる構造によって紙幣、金券のいずれかを収納する汎用収納庫３２ａ〜３２ｅ、利用者が紙幣および金券を取り出すことができるように紙幣、金券のいずれをも保持する入出機構２２、汎用収納庫３２ａ〜３２ｅから入出機構２２へ紙幣および金券のいずれをも搬送する搬送路４０、汎用収納庫３２ａ〜３２ｅから繰り出される紙幣、金券のいずれをも種類を識別する識別判定機構２３を備える。汎用収納庫３２ａ〜３２ｅのうちいずれに金券が収納されているかを示す情報を受け付けて記憶部７０にて記憶し、制御部８０は、紙幣とともに金券を払い出す場合に、記憶部７０に記憶された情報に該当する汎用収納庫３２ａ〜３２ｅのうちのいずれが金券を繰り出し、識別判定機構２３が識別しつつ搬送路４０が金券を搬送して入出機構２２が紙幣とともに金券を同時に保持するように各部位を制御する。
2008146366.tif 000002
【特許請求の範囲】
【請求項１】
利用者に紙幣を払い出すとともに金券を払い出す紙幣処理装置であって、
前記紙幣および金券のいずれも収納して繰り出すことができる構造によって前記紙幣または金券のいずれかをそれぞれ収納する複数の収納手段と、
前記複数の収納手段のうちのいずれに金券が収納されているかを示す金券設定情報を受け付けて記憶する金券設定情報記憶手段と、
前記利用者が前記金券を取り出すことができるように前記金券を保持する取り出し保持手段と、
前記複数の収納手段から前記取り出し保持手段へ前記紙幣および金券のいずれをも搬送する搬送手段と、
前記収納手段から繰り出される前記紙幣および金券のいずれをも種類を識別する識別手段と、
前記金券を払い出す場合に、前記金券設定情報記憶手段に記憶された金券設定情報に該当する前記収納手段が金券を繰り出し、前記識別手段が識別しつつ前記搬送手段が金券を搬送して前記取り出し保持手段が金券を保持するように各手段を制御する制御手段と
を備えたことを特徴とする紙幣処理装置。
【請求項２】
前記取り出し保持手段は、前記利用者が前記紙幣および金券を取り出すことができるように前記紙幣および金券のいずれをも保持するものであって、
前記制御手段は、前記紙幣とともに金券を払い出す場合に、当該紙幣とともに金券を同時に保持するように前記取り出し保持手段を制御することを特徴とする請求項１に記載の紙幣処理装置。
【請求項３】
前記紙幣とともに金券を払い出す際に当該紙幣および金券のうちのいずれを先に前記取り出し保持手段へ搬送するかを示す搬送設定情報を受け付けて記憶する搬送設定情報記憶手段をさらに備え、
前記制御手段は、前記紙幣とともに金券を払い出す場合に、前記搬送設定情報記憶手段に記憶された搬送設定情報に応じて、前記紙幣および金券のうちのいずれを先に前記取り出し保持手段へ搬送するように前記搬送手段を制御することを特徴とする請求項２に記載の紙幣処理装置。
【請求項４】
前記金券を払い出す際に前記識別手段による識別機能を有効にするか無効にするかを示す識別設定情報を受け付けて記憶する識別設定情報記憶手段をさらに備え、
前記制御手段は、前記識別設定情報記憶手段によって識別機能が有効である旨の設定情報が記憶されている場合に限り、前記収納手段が繰り出した金券を識別するように前記識別手段を制御することを特徴とする請求項１に記載の紙幣処理装置。
【請求項５】
前記複数の収納手段にそれぞれ収納される紙幣および金券それぞれの特徴量を記憶する特徴量記憶手段を備え、
前記識別手段は、前記収納手段から繰り出される対象物の特徴量と前記特徴量記憶手段に記憶された特徴量とを照合して、前記収納手段から繰り出される対象物が前記紙幣、金券またはその他のいずれであるかを識別することを特徴とする請求項１に記載の紙幣処理装置。
【請求項６】
前記利用者に払い出す紙幣の金額に対応付けて、当該紙幣とともに払い出す金券の額を記憶する金額情報記憶手段をさらに備え、
前記制御手段は、前記紙幣とともに金券を払い出す場合に、当該紙幣の金額に対応した金券の額を前記金額情報記憶手段から読み出し、当該額に対応する分の金券を繰り出すように前記収納手段を制御することを特徴とする請求項１に記載の紙幣処理装置。
【請求項７】
前記搬送手段は、前記複数の収納手段から前記取り出し保持手段へ前記紙幣および金券を搬送する他に、前記取り出し保持手段から前記複数の収納手段へ前記金券を搬送するものであって、
前記制御手段は、前記取り出し保持手段に補充用の金券が保持された場合に、前記金券設定情報記憶手段に記憶された金券設定情報に該当する前記収納手段に前記補充用の金券を搬送するように前記搬送手段を制御することを特徴とする請求項１に記載の紙幣処理装置。
【請求項８】
前記収納手段は、前記紙幣処理装置に対して着脱可能に取り付けられるものであって、当該紙幣処理装置から取り外された状態で補充用の金券を受け入れて収納することを特徴とする請求項１に記載の紙幣処理装置。
【発明の詳細な説明】
【技術分野】
【０００１】
この発明は、利用者に紙幣を払い出すとともに金券を払い出す紙幣処理装置に関する。
【背景技術】
【０００２】
従来、現金を取り扱うとともに、商品券または割引券などの金券や領収書などの紙葉類を取り扱う紙幣処理機（自動券売機や、人を介さずに金融機関の窓口業務を行うＡＴＭ（Automated Teller Machine）など）がある。このような紙幣処理機は、紙幣を収納する紙幣収納庫と、紙葉類を収納する紙葉類収納庫とを別個に備え、各収納庫に紙幣および紙葉類をそれぞれ収納する。そして、紙幣処理機は、利用者によって所定の手続きがなされ、紙幣による所定金額の払出しを行う際、紙幣収納庫より紙幣を繰り出すとともに、紙葉類収納庫より紙葉類を繰り出し、それぞれの専用の搬送路で取り出し口まで搬送する。なお、紙幣および紙葉類を同一の搬送路で搬送するものもある。また、紙幣処理機は、搬送経路の途中に、紙幣の真偽を判定するための識別判定部を備えるほか、金券についてもその真偽を判定するための金券専用の識別判定部をそれぞれ備えたものもあり、紙幣および金券に対する真偽の判定後、真券と偽券とをそれぞれ区別して処理する。なお、スーパーマーケットや小売店などの流通業界では、ＰＯＳ（Point Of Sales System）レジスタに接続されて使用されるものもある。【０００３】
例えば、特許文献１では、紙幣専用の収納庫のほかに、手票専用の収納庫やレシート専用の収納庫を備え、紙幣による所定金額の払出しとともに、手票およびレシートを発券する多用途紙幣出金機が開示されている。また、紙幣を収納する紙幣収納庫と、紙葉類を収納する紙葉類収納庫とを別個に備える例として、例えば、特許文献２では、商品券や割引券などの金券を取り込む際、当該金券の金額を紙幣の金額と同等に扱い、取り込んだ金券については専用の収納庫に収納する自動釣銭機が開示されている。【０００４】
【特許文献１】特開２００３−１６８１４４号公報
【特許文献２】特開２００７−３４５２３号公報
【発明の開示】
【発明が解決しようとする課題】
【０００５】
しかしながら、上記した従来の技術は、製造に掛かるコストが高くなるとともに、装置のサイズが必要以上に拡大するという課題があった。つまり、紙幣とは別に金券専用の収納庫、搬送路、識別判定部を備える必要があるので、製造に掛かるコストが高くなるとともに、装置のサイズが必要以上に拡大するという課題があった。【０００６】
また、上記した従来の技術は、仕様の変更に対して柔軟に対応することができないという課題があった。具体的には、今まで続けてきた金券の取り扱いを所定の理由で中断する際、金券専用の収納庫、搬送路、識別判定部の用途を、金券から紙幣を対象としたものへ変更することをしない限り、装置内部において金券を取り扱うために設けられた機構や空間が無駄なものになってしまう。一方で、紙幣のみを取り扱う装置に対して新規に金券も取り扱えるようにする場合には、新しく金券専用の収納庫を設置するなどの改造が必要となる。このように、仕様の変更に対して柔軟に対応することができないという課題があった。【０００７】
そこで、この発明は、上述した従来技術の課題を解決するためになされたものであり、製造に掛かるコストが安く、サイズをコンパクトにすることが可能であり、仕様の変更に対して柔軟に対応することが可能な紙幣処理装置を提供することを目的とする。
【課題を解決するための手段】
【０００８】
上述した課題を解決し、目的を達成するため、請求項１に係る発明は、利用者に紙幣を払い出すとともに金券を払い出す紙幣処理装置であって、前記紙幣および金券のいずれも収納して繰り出すことができる構造によって前記紙幣または金券のいずれかをそれぞれ収納する複数の収納手段と、前記複数の収納手段のうちのいずれに金券が収納されているかを示す金券設定情報を受け付けて記憶する金券設定情報記憶手段と、前記利用者が前記金券を取り出すことができるように前記金券を保持する取り出し保持手段と、前記複数の収納手段から前記取り出し保持手段へ前記紙幣および金券のいずれをも搬送する搬送手段と、前記収納手段から繰り出される前記紙幣および金券のいずれをも種類を識別する識別手段と、前記金券を払い出す場合に、前記金券設定情報記憶手段に記憶された金券設定情報に該当する前記収納手段が金券を繰り出し、前記識別手段が識別しつつ前記搬送手段が金券を搬送して前記取り出し保持手段が金券を保持するように各手段を制御する制御手段とを備えたことを特徴とする。【０００９】
また、請求項２に係る発明は、上記の発明において、前記取り出し保持手段は、前記利用者が前記紙幣および金券を取り出すことができるように前記紙幣および金券のいずれをも保持するものであって、前記制御手段は、前記紙幣とともに金券を払い出す場合に、当該紙幣とともに金券を同時に保持するように前記取り出し保持手段を制御することを特徴とする。【００１０】
また、請求項３に係る発明は、上記の発明において、前記紙幣とともに金券を払い出す際に当該紙幣および金券のうちのいずれを先に前記取り出し保持手段へ搬送するかを示す搬送設定情報を受け付けて記憶する搬送設定情報記憶手段をさらに備え、前記制御手段は、前記紙幣とともに金券を払い出す場合に、前記搬送設定情報記憶手段に記憶された搬送設定情報に応じて、前記紙幣および金券のうちのいずれを先に前記取り出し保持手段へ搬送するように前記搬送手段を制御することを特徴とする。【００１１】
また、請求項４に係る発明は、上記の発明において、前記金券を払い出す際に前記識別手段による識別機能を有効にするか無効にするかを示す識別設定情報を受け付けて記憶する識別設定情報記憶手段をさらに備え、前記制御手段は、前記識別設定情報記憶手段によって識別機能が有効である旨の設定情報が記憶されている場合に限り、前記収納手段が繰り出した金券を識別するように前記識別手段を制御することを特徴とする。【００１２】
また、請求項５に係る発明は、上記の発明において、前記複数の収納手段にそれぞれ収納される紙幣および金券それぞれの特徴量を記憶する特徴量記憶手段を備え、前記識別手段は、前記収納手段から繰り出される対象物の特徴量と前記特徴量記憶手段に記憶された特徴量とを照合して、前記収納手段から繰り出される対象物が前記紙幣、金券またはその他のいずれであるかを識別することを特徴とする。【００１３】
また、請求項６に係る発明は、上記の発明において、前記利用者に払い出す紙幣の金額に対応付けて、当該紙幣とともに払い出す金券の額を記憶する金額情報記憶手段をさらに備え、前記制御手段は、前記紙幣とともに金券を払い出す場合に、当該紙幣の金額に対応した金券の額を前記金額情報記憶手段から読み出し、当該額に対応する分の金券を繰り出すように前記収納手段を制御することを特徴とする。【００１４】
また、請求項７に係る発明は、上記の発明において、前記搬送手段は、前記複数の収納手段から前記取り出し保持手段へ前記紙幣および金券を搬送する他に、前記取り出し保持手段から前記複数の収納手段へ前記金券を搬送するものであって、前記制御手段は、前記取り出し保持手段に補充用の金券が保持された場合に、前記金券設定情報記憶手段に記憶された金券設定情報に該当する前記収納手段に前記補充用の金券を搬送するように前記搬送手段を制御することを特徴とする。【００１５】
また、請求項８に係る発明は、上記の発明において、前記収納手段は、前記紙幣処理装置に対して着脱可能に取り付けられるものであって、当該紙幣処理装置から取り外された状態で補充用の金券を受け入れて収納することを特徴とする。
【発明の効果】
【００１６】
請求項１の発明によれば、紙幣および金券のいずれも収納して繰り出すことができる構造によって紙幣または金券のいずれかをそれぞれ収納する複数の収納庫と、利用者が金券を取り出すことができるように金券を保持する取り出し口と、複数の収納庫から取り出し口へ紙幣および金券のいずれをも搬送する搬送路と、収納庫から繰り出される紙幣および金券のいずれをも種類を識別する識別部と、を備え、複数の収納庫のうちのいずれに金券が収納されているかを示す金券設定情報を受け付けて記憶する。そして、金券を払い出す場合に、記憶した金券設定情報に該当する収納庫が金券を繰り出し、識別部が識別しつつ搬送路が金券を搬送して取り出し口が金券を保持するように各部位を制御する。こうすることによって、製造に掛かるコストが安く、サイズをコンパクトにすることが可能となり、また、仕様の変更に対して柔軟に対応することが可能となる。つまり、金券専用の収納庫、金券専用の識別判定機構、または、金券専用の搬送路をそれぞれ設置する必要がなく、各部位を必要最低限の構成とすることができるので、製造に掛かるコストが安く、サイズをコンパクトにすることが可能となる。また、収納庫を金券専用として設定するだけで、紙幣および金券が同一の搬送路で搬送されつつ、紙幣については紙幣として、金券については金券として同一の識別判定機構で識別されるよう制御するので、新規に金券も取り扱う際に柔軟に対応することが可能となる。また、金券の取り扱いを中断する場合についても、金券専用の収納庫としての設定を解除するだけでよいので、柔軟に対応することが可能となる。【００１７】
また、請求項２の発明によれば、取り出し口は、利用者が紙幣および金券を取り出すことができるように紙幣および金券のいずれをも保持する。そして、紙幣とともに金券を払い出す場合に、当該紙幣とともに金券を同時に保持するように取り出し口を制御する。こうすることによって、金券の取り忘れを防止することが可能となる。つまり、例えば、紙幣が先に払いだされた場合に、利用者が当該紙幣のみを取り出し、後に払いだされる金券に気付かずに取り忘れることを防止することが可能となる。【００１８】
また、請求項３の発明によれば、紙幣とともに金券を払い出す際に当該紙幣および金券のうちのいずれを先に取り出し口へ搬送するかを示す搬送設定情報を受け付けて記憶し、紙幣とともに金券を払い出す場合に、記憶した搬送設定情報に応じて、紙幣および金券のうちのいずれを先に取り出し口へ搬送するように搬送路を制御するので、例えば、金券を札束の上に配置することで、利用者に最初に金券を見させることが可能となる。【００１９】
また、請求項４の発明によれば、金券を払い出す際に識別部による識別機能を有効にするか無効にするかを示す識別設定情報を受け付けて記憶し、識別機能が有効である旨の設定情報が記憶されている場合に限り、収納庫が繰り出した金券を識別するように識別部を制御するので、金券に対する識別に費やされていた時間分だけ処理時間を短縮して紙幣および金券を差し出すことが可能となる。【００２０】
また、請求項５の発明によれば、複数の収納庫にそれぞれ収納される紙幣および金券それぞれの特徴量を記憶し、収納庫から繰り出される対象物の特徴量と、記憶した特徴量とを照合して、収納庫から繰り出される対象物が紙幣、金券またはその他のいずれであるかを識別するので、紙幣と金券とで識別手法を共通化することができ、識別処理の複雑化を回避することが可能となる。【００２１】
また、請求項６の発明によれば、利用者に払い出す紙幣の金額に対応付けて、当該紙幣とともに払い出す金券の額を記憶し、紙幣とともに金券を払い出す場合に、当該紙幣の金額に対応した金券の額を記憶した対応関係より読み出し、当該額に対応する分の金券を繰り出すので、例えば、多くの金額を出金する利用者ほど多くの金券を払い出すことが可能となる。【００２２】
また、請求項７の発明によれば、搬送路は、複数の収納庫から取り出し口へ紙幣および金券を搬送する他に、取り出し口から複数の収納庫へ金券を搬送するものであり、取り出し口に補充用の金券が保持された場合に、金券専用として設定された収納庫に補充用の金券を搬送する。こうすることによって、収納庫を取り外して補充する手法に比較して、簡易な作業で金券を補充できる。【００２３】
また、請求項８の発明によれば、収納庫については、紙幣処理装置に対して着脱可能に取り付けられるものであって、当該紙幣処理装置から取り外された状態で補充用の金券を受け入れて収納するので、取り出し口から補充する手法に比較して、確実に金券を補充できる。
【図面の簡単な説明】
【００２４】
【図１】図１は、実施例１に係る紙幣処理装置の概要および特徴を説明するための図である。
【図２】図２は、実施例１に係る紙幣処理装置の構成を示すブロック図である。
【図３】図３は、出力部の画面に表示される画像の例を示す図である。
【図４】図４は、判定条件記憶部が記憶する情報の例を示す図である。
【図５】図５は、識別判定基準記憶部が記憶する情報の例を示す図である。
【図６】図６は、収納紙葉類テーブル記憶部が記憶する情報の例を示す図である。
【図７】図７は、紙幣処理装置の出金時における処理の流れを示すフローチャートである。
【図８】図８は、汎用収納庫の設定に係る処理の流れを示すフローチャートである。
【図９】図９は、払い出す順番に係る設定を受け付ける際に出力部の画面に表示される画像の例を示す図である。
【図１０】図１０は、識別対象に係る設定を受け付ける際に出力部の画面に表示される画像の例を示す図である。
【符号の説明】
【００２５】
２  テーブル
１０  紙幣処理装置
２０  上部ユニット
２１  入出金口
２２  入出機構
２３  識別判定機構
２４  一時保留部
２５  一時集積部
３０  下部ユニット
３１  回収庫
３２ａ〜３２ｅ  汎用収納庫
４０  搬送路
５０  入力部
６０  出力部
７０  記憶部
７１  判定条件記憶部
７２  識別判定基準記憶部
７３  収納紙葉類テーブル記憶部
８０  制御部
８１  金券払い出し金額決定部
８２  搬送制御部
８３  集積金額算出部
８４  識別判定機構制御部
８５  収納庫設定処理部
【発明を実施するための最良の形態】
【００２６】
以下に添付図面を参照して、この発明に係る紙幣処理装置の実施例を詳細に説明する。なお、以下では、用語の説明、本発明に係る紙幣処理装置の概要および特徴、紙幣処理装置の構成、紙幣処理装置の処理の流れを順に説明し、実施例１の効果を説明した後に、他の実施例を説明する。
【実施例１】
【００２７】
［用語の説明］
まず、以下の実施例で用いる主要な用語を説明する。「紙幣（請求の範囲に記載の「紙幣」）に対応する）」とは、紙製の通貨であり、例えば、千円券、五千円券、一万円券などの日本銀行券や、アメリカの１ドル札、５ドル札などのことである。「金券（請求の範囲に記載の「金券」）に対応する）」とは、特定の範囲内で表示金額相当の価値を認められる券であり、例えば、商品券、クーポン券、割引券などのことである。【００２８】
［紙幣処理装置の概要および特徴］
次に、図１を用いて、実施例１に係る紙幣処理装置の概要および特徴を説明する。図１は、実施例１に係る紙幣処理装置の概要および特徴を説明するための図である。同図に示すように、紙幣処理装置１０は、上部ユニット２０と、下部ユニット３０とからなり、上部ユニット２０には、入出金口２１と、入出機構２２と、識別判定機構２３と、一時保留部２４と、一時集積部２５とを備え、下部ユニット３０には、回収庫３１と、汎用収納庫３２ａ〜３２ｅとを備え、各部位同士については搬送路４０によって繋がって構成される。そして、紙幣処理装置１０は、利用者に紙幣を払い出すとともに金券を払い出すことを概要としており、製造に掛かるコストが安く、サイズをコンパクトにすることを可能とし、また、仕様の変更に対して柔軟に対応することを可能としている点に主たる特徴がある。【００２９】
具体的には、図１に示すように、汎用収納庫３２ａ〜３２ｅは、紙幣および金券のいずれも収納して繰り出すことができる構造によって紙幣または金券のいずれかをそれぞれ収納し、記憶部７０は、複数の汎用収納庫３２ａ〜３２ｅのうちのいずれに金券が収納されているかを示す金券設定情報を受け付けて記憶し（テーブル２参照）、入出機構２２は、利用者が紙幣および金券を取り出すことができるように紙幣および金券のいずれをも保持し、搬送路４０は、複数の汎用収納庫３２ａ〜３２ｅから入出機構２２へ紙幣および金券のいずれをも搬送し、識別判定機構２３は、汎用収納庫３２ａ〜３２ｅから繰り出される紙幣および金券のいずれをも種類を識別する。そして、制御部８０は、紙幣とともに金券を払い出す場合に、記憶部７０に記憶された金券設定情報に該当する汎用収納庫３２ａ〜３２ｅのうちのいずれが金券を繰り出し、識別判定機構２３が識別しつつ搬送路４０が金券を搬送して入出機構２２が紙幣とともに金券を同時に保持するように各部位を制御する。【００３０】
こうすることによって、実施例１に係る紙幣処理装置は、上記した主たる特徴のとおり、製造に掛かるコストが安く、サイズをコンパクトにすることが可能となり、また、仕様の変更に対して柔軟に対応することが可能となる。つまり、金券専用の収納庫、金券専用の識別判定機構、または、金券専用の搬送路をそれぞれ設置する必要がなく、各部位を必要最低限の構成とすることができるので、製造に掛かるコストが安く、サイズをコンパクトにすることが可能となる。また、収納庫を金券専用として設定するだけで、紙幣および金券が同一の搬送路で搬送されつつ、紙幣については紙幣として、金券については金券として同一の識別判定機構で識別されるよう制御するので、新規に金券も取り扱う際に柔軟に対応することが可能となる。また、金券の取り扱いを中断する場合についても、金券専用の収納庫としての設定を解除するだけでよいので、柔軟に対応することが可能となる。【００３１】
［紙幣処理装置の構成］
次に、図２を用いて、紙幣処理装置１０の構成を説明する。図２は、紙幣処理装置１０の構成を説明するブロック図である。同図に示すように、紙幣処理装置１０は、入出金口２１と、入出機構２２と、識別判定機構２３と、一時保留部２４と、一時集積部２５と、回収庫３１と、汎用収納庫３２ａ〜３２ｅと、搬送路４０と、入力部５０と、出力部６０と、記憶部７０と、制御部８０とを備える。【００３２】
汎用収納庫３２ａ〜３２ｅは、紙幣および金券のいずれも収納して繰り出すことができる構造によって紙幣または金券のいずれかをそれぞれ収納する。具体的に例を挙げて説明すると、実施例１では、汎用収納庫３２ａ「１」は、高額金券を収納し、汎用収納庫３２ｂ「２」は、低額金券を収納し、汎用収納庫３２ｃ「３」は、千円札を収納し、汎用収納庫３２ｄ「４」は、五千円札を収納し、汎用収納庫３２ｅ「５」は、一万円札を収納する。そして、汎用収納庫３２ａ〜３２ｅは、制御部８０の制御により搬送路４０に当該金券や紙幣を繰り出す。なお、設定によっては、例えば、汎用収納庫３２ａが紙幣を収納し、制御部８０の制御により搬送路４０に当該紙幣を繰り出すことも可能である。また、紙幣処理装置１０では、汎用収納庫３２ａ〜３２ｅに対してそれぞれ一意に識別される収納庫識別情報が対応付けられており、例えば、汎用収納庫３２ａについては収納庫識別情報「１」が対応付けられる。【００３３】
搬送路４０は、複数の汎用収納庫３２ａ〜３２ｅから入出機構２２へ紙幣および金券のいずれをも搬送する。具体的には、搬送路４０は、汎用収納庫３２ａ〜３２ｅから繰り出された紙幣および金券を制御部８０の制御により各部位（識別判定機構２３や一時集積部２５など）へ搬送しつつ、最終的に入出機構２２へ搬送するが、紙幣および金券についてはいずれも同一ベルト上に載せて搬送する。【００３４】
識別判定機構２３は、汎用収納庫３２ａ〜３２ｅから繰り出される紙幣および金券のいずれをも種類を識別する。具体的には、識別判定機構２３は、紙幣または金券の紙葉類が搬送されると、制御部８０の制御により当該紙葉類に対して所定の計測を実行して当該紙葉類の特徴量を取得し、特徴量に基づいて当該紙葉類を識別する。なお、紙幣および金券については、当該識別判定機構２３の識別能力の範囲で本物と認められるものか、それ以外であるかの２つに判定され、以下では前者を真券、後者をリジェクト券と呼ぶ。【００３５】
入出機構２２は、利用者が紙幣および金券を取り出すことができるように紙幣および金券のいずれをも保持する。具体的には、入出機構２２は、紙幣または金券の紙葉類を区別なく同一の空間で、重なるように保持する。【００３６】
一時保留部２４は、識別の結果、リジェクト券と判定された紙幣および金券を一時的に集積し、一時集積部２５は、識別の結果、真券と判定された紙幣および金券を一時的に集積する。回収庫３１は、一時保留部２４から搬送され、識別の結果、リジェクト券と判定された紙幣および金券を収納する。入出金口２１は、開閉可能なシャッタを備え、制御部８０の制御により当該シャッタを開閉する。【００３７】
入力部５０は、装置外面に設けられたタッチパネルなどで構成され、ユーザより出金額を受け付けて制御部８０へ入力する。具体的には、入力部５０は、タッチパネルがユーザによって触れられ、所定の出金額を受け付けると、後述する金券払出し金額決定部８１および搬送制御部８２に出金額の情報を出力する。例えば、入力部５０は、三万六千円の出金額を受け付けると、金券払出し金額決定部８１および搬送制御部８２に出金額の情報「３６０００」を出力する。【００３８】
また、入力部５０は、金券設定情報の変更を受け付けて制御部８０へ入力する。具体的には、入力部５０は、タッチパネルが管理者によって触れられ、汎用収納庫３２ａ〜３２ｅに対する設定の変更要求を受け付けると、後述する収納庫設定処理部８５に変更要求を出力する。また、入力部５０は、タッチパネルが管理者によって触れられ、汎用収納庫３２ａ〜３２ｅに対する設定の変更指示を受け付けると、当該設定の変更指示に応じた設定情報を後述する収納庫設定処理部８５に出力する。【００３９】
出力部６０は、装置外面に設けられたタッチパネルなどで構成され、所定の画像を画面上に表示する。具体的には、出力部６０は、後述する収納庫設定処理部８５から画像を生成するための情報を受け取ると、タッチパネルの画面に当該情報に基づいて画像を表示する（図３参照）。なお、管理者が図３で参照される画面を見つつタッチパネル表面に触れることで、入力部５０は、汎用収納庫３２ａ〜３２ｅに対する設定の変更指示を受け付ける。なお、図３は、出力部の画面に表示される画像の例を示す図である。【００４０】
記憶部７０は、制御部８０による各種処理に用いるデータを記憶し、特に本発明と密接に関連するものとしては、判定条件記憶部７１と、識別判定基準記憶部７２と、収納紙葉類テーブル記憶部７３とを備える。なお、収納紙葉類テーブル記憶部７３は、請求の範囲に記載の「金券設定情報記憶手段」に対応し、識別判定基準記憶部７２は、同じく「特徴量記憶手段」に対応し、判定条件記憶部７１は、同じく「金額情報記憶手段」に対応する。【００４１】
判定条件記憶部７１は、利用者に払い出す紙幣の金額に対応付けて、当該紙幣とともに払い出す金券の額を記憶する。具体的には、図４に示すように、判定条件記憶部７１は、紙幣の金額の範囲を示す判定条件と、一定額の金券を示す金券の種類とを対応付けて記憶する。例えば、図４に示すように、判定条件記憶部７１は、判定条件「５万円未満」と、金券の種類「低額金券」とを対応付けて記憶する（例えば、高額金券を１０００円、低額金券を１００円としてもよい）。なお、図４は、判定条件記憶部が記憶する情報の例を示す図である。【００４２】
識別判定基準記憶部７２は、複数の汎用収納庫にそれぞれ収納される紙幣および金券それぞれの特徴量を記憶する。具体的には、図５に示すように、識別判定基準記憶部７２は、紙幣や金券より計測され、その特徴を示す値である特徴量と、計測対象とを対応付けて記憶する。例えば、図５に示すように、識別判定基準記憶部７２は、千円札の真券を透過する光における赤外線の減衰量の基準値「Ｃ」と、計測対象「千円札の真券」とを対応付けて記憶する。なお、図５は、識別判定基準記憶部が記憶する情報の例を示す図である。【００４３】
収納紙葉類テーブル記憶部７３は、複数の汎用収納庫のうちのいずれに金券が収納されているかを示す金券設定情報を受け付けて記憶する。具体的には、図６に示すように、収納紙葉類テーブル記憶部７３は、装置内に設置された汎用収納庫ごとに、金券を収納するか、または、紙幣を収納するならばどの金種かを示す情報を対応付けて記憶する。例えば、図６に示すように、収納紙葉類テーブル記憶部７３は、汎用収納庫「１」から汎用収納庫「５」に対してそれぞれ「高額金券」、「低額金券」、「千円札」、「五千円札」、「一万円札」を対応付けて記憶する。なお、汎用収納庫３２ａ〜３２ｅは、それぞれ一意に識別される識別情報が対応付けられている。また、図６は、収納紙葉類テーブル記憶部が記憶する情報の例を示す図である。【００４４】
制御部８０は、各種の処理手順を規定したプログラムや制御データを格納するための内部メモリを有し、これらによって種々の処理を実行するプロセッサであり、特に本発明に密接に関連するものとしては、金券払出し金額決定部８１と、搬送制御部８２と、集積金額算出部８３と、識別判定機構制御部８４と、収納庫設定処理部８５とを備える。なお、搬送制御部８２は、請求の範囲に記載の「制御手段」に対応し、識別判定機構制御部８４は、同じく「識別手段」に対応する。【００４５】
金券払出し金額決定部８１は、出金額に応じて金券の払出し金額を決定する。具体的には、金券払出し金額決定部８１は、入力部５０から出金額の情報を受け取ると、判定条件記憶部７１によって記憶された対応関係から金券の種類を読み出し、後述する搬送制御部８２に当該金券の種類の情報を出力する。例えば、金券払出し金額決定部８１は、入力部５０から出金額の情報「３６０００」を受け取ると、「５万円未満」に対応付けられた「低額金券」を読み出す（図４参照）。そして、金券払出し金額決定部８１は、金券の種類の情報「低額金券」を搬送制御部８２に出力する。【００４６】
搬送制御部８２は、金券を払い出す場合に、収納紙葉類テーブル記憶部７３に記憶された金券設定情報に基づいて金券を収納する汎用収納庫が金券を繰り出し、識別判定機構２３が識別しつつ搬送路４０が金券を搬送して入出機構２２が金券を保持するように各部位を制御する。また、搬送制御部８２は、紙幣とともに金券を払い出す場合に、当該紙幣とともに金券を同時に保持するように入出機構２２を制御する。また、搬送制御部８２は、紙幣とともに金券を払い出す場合に、当該紙幣の金額に対応した金券の額を判定条件記憶部７１から読み出し、当該額に対応する分の金券を繰り出すように汎用収納庫を制御する。【００４７】
具体的には、搬送制御部８２は、金券払出し金額決定部８１から金券の種類の情報を受け取ると、収納紙葉類テーブル記憶部７３を参照して当該金券の種類に対応付けられた収納庫識別情報を読み出す。そして、搬送制御部８２は、読み出した収納庫識別情報に対応する汎用収納庫が金券を搬送路４０に繰り出すように制御する。そして、搬送制御部８２は、後述する識別判定機構制御部８４に識別判定機構２３の制御の開始を指示する信号を出力する。そして、搬送制御部８２は、識別判定機構制御部８４から真券であることを示す判定結果を受け取った場合には、搬送路４０を制御して金券を一時集積部２５まで搬送する。一方、搬送制御部８２は、識別判定機構制御部８４からリジェクト券であることを示す判定結果を受け取った場合には、搬送路４０を制御して金券を一時保留部２４まで搬送する。【００４８】
そして、搬送制御部８２は、後述する集積金額算出部８３から紙幣の搬送を指示する信号を受け取ると、すでに入力部５０から受け取っている出金額の情報に基づいて繰り出すべき紙幣の金種と、枚数とを判断する。そして、搬送制御部８２は、収納紙葉類テーブル記憶部７３を参照して当該紙幣の金種に対応付けられた収納庫識別情報を読み出す。そして、搬送制御部８２は、読み出した収納庫識別情報に対応する汎用収納庫が紙幣を必要枚数だけ搬送路４０に繰り出すように制御する。そして、搬送制御部８２は、後述する識別判定機構制御部８４に識別判定機構２３の制御の開始を指示する信号を出力する。そして、搬送制御部８２は、識別判定機構制御部８４から真券であることを示す判定結果を受け取った場合には、搬送路４０を制御して紙幣を一時集積部２５まで搬送する。一方、搬送制御部８２は、識別判定機構制御部８４からリジェクト券であることを示す判定結果を受け取った場合には、搬送路４０を制御して紙幣を一時保留部２４まで搬送する。そして、搬送制御部８２は、集積金額算出部８３から現に集積されている紙幣の合計金額の情報を受け取ると、入力部５０から受け取った出金額の情報と突合し、両者が同一である場合には、一時集積部２５が紙幣および金券を搬送路４０に繰り出すように制御する。そして、搬送制御部８２は、搬送路４０を制御して紙幣を入出機構２２まで搬送し、入出金口２１がシャッタを開けるように制御する。なお、搬送制御部８２は、突合の結果、両者が異なる場合には、足りない金額分の紙幣が一時集積部２５に搬送されるよう同様に各部位を制御する。【００４９】
集積金額算出部８３は、一時集積部２５を監視して、集積された紙葉類に応じた処理を行う。具体的には、集積金額算出部８３は、一時集積部２５に金券が集積されると、搬送制御部８２に紙幣の搬送を指示する信号を出力する。また、集積金額算出部８３は、一時集積部２５に最後の紙幣が集積されると、合計金額を算出して当該合計金額を示す情報を搬送制御部８２に出力する。【００５０】
識別判定機構制御部８４は、汎用収納庫から繰り出される対象物の特徴量と識別判定基準記憶部７２に記憶された特徴量とを照合して、汎用収納庫から繰り出される対象物が紙幣、金券またはその他のいずれであるかを識別する。具体的には、識別判定機構制御部８４は、識別判定機構２３の制御の開始を指示する信号を搬送制御部８２から受け取ると、識別判定機構２３を制御して、当該識別判定機構２３へ現に搬送されたもの（紙幣または金券）の特徴量を計測する。そして、識別判定機構制御部８４は、識別判定基準記憶部７２を参照し、真券か、または、リジェクト券かの判定を行い、判定結果を搬送制御部８２に出力する。例えば、識別判定機構制御部８４は、計測の結果、特徴量「Ａ」を取得すると、識別判定基準記憶部７２を参照し、真券であることを示す判定結果を搬送制御部８２に出力する（図５参照）。【００５１】
収納庫設定処理部８５は、汎用収納庫３２ａ〜３２ｅのうちのいずれに金券が収納されるかを設定する。具体的には、収納庫設定処理部８５は、入力部５０が汎用収納庫３２ａ〜３２ｅに対する設定の変更要求を受け付けた際に出力される変更要求を受け取ると、画像を生成するための情報を出力部６０に出力する。そして、収納庫設定処理部８５は、管理者が出力部６０の画面に表示された画像を参照しつつ（図３参照）装置外面に設けられたタッチパネルを触れることで、入力部５０より出力された設定情報を受け取ると、当該設定情報に基づいて収納紙葉類テーブル記憶部７３を更新する。例えば、図３において、収納庫識別情報「２」および紙葉類「一万円札」における位置でタッチパネルが触れられることで、収納庫設定処理部８５は、汎用収納庫３２ｂ「２」について、元の低額金券を収納する収納庫から一万円札を収納する収納庫へ変更する設定情報を受け取る。そして、収納庫設定処理部８５は、収納紙葉類テーブル記憶部７３における収納庫識別情報「２」に対応する収納紙葉類「低額金券の真券」を当該設定情報に基づいて収納紙葉類「一万円札の真券」に更新する。なお、このようにして汎用収納庫３２ａ〜３２ｅ全てが紙幣を収納する収納庫として設定されることも可能である。【００５２】
［紙幣処理装置の処理］
次に、図７および図８を用いて、紙幣処理装置１０の処理を説明する。図７は、紙幣処理装置の出金時における処理の流れを示すフローチャートであり、図８は、汎用収納庫の設定に係る処理の流れを示すフローチャートである。【００５３】
図７に示すように、紙幣処理装置１０は、入力部５０によって所定の出金額を受け付けると（ステップＳ７０１肯定）、金券払出し金額決定部８１によって払い出す金券の種類を決定する（ステップＳ７０２）。そして、紙幣処理装置１０は、搬送制御部８２によって、決定された金券を収納する汎用収納庫が金券を搬送路４０に繰り出すように制御し（ステップＳ７０３）、搬送路４０が当該繰り出された金券を識別判定機構２３まで搬送するように制御する（ステップＳ７０４）。【００５４】
そして、紙幣処理装置１０は、識別判定機構制御部８４によって識別判定機構２３を制御して金券を識別し（ステップＳ７０５）、真券である場合には（ステップＳ７０６否定）、搬送制御部８２によって搬送路４０が金券を一時集積部２５まで搬送するように制御する（ステップＳ７０７）。なお、識別の結果、リジェクト券である場合には（ステップＳ７０６肯定）、紙幣処理装置１０は、搬送制御部８２によって搬送路４０が金券を一時保留部２４まで搬送するように制御する（ステップＳ７０８）。【００５５】
そして、紙幣処理装置１０は、金券が一時集積部２５に集積されることで、集積金額算出部８３から搬送制御部８２に対して紙幣の搬送を指示する信号が出力されると（ステップＳ７０９肯定）、搬送制御部８２によって、紙幣を収納する汎用収納庫が出金額分の紙幣を搬送路４０に繰り出すように制御する（ステップＳ７１０）。そして、紙幣処理装置１０は、搬送制御部８２によって搬送路４０が紙幣を識別判定機構２３まで搬送するように制御する（ステップＳ７１１）。【００５６】
そして、紙幣処理装置１０は、識別判定機構制御部８４によって識別判定機構２３を制御して紙幣を識別し（ステップＳ７１２）、真券である場合には（ステップＳ７１３否定）、搬送制御部８２によって搬送路４０が紙幣を一時集積部２５まで搬送するように制御する（ステップＳ７１４）。なお、識別の結果、リジェクト券である場合には（ステップＳ７１３肯定）、紙幣処理装置１０は、搬送制御部８２によって搬送路４０が紙幣を一時保留部２４まで搬送するように制御する（ステップＳ７１５）。【００５７】
そして、紙幣処理装置１０は、紙幣が一時集積部２５に出金額分集積されると、つまり、搬送制御部８２による突合の結果（集積金額算出部８３から搬送制御部８２に出力された合計金額の情報と、入力部５０から搬送制御部８２に出力された出金額の情報との突合結果）、両者が同一である場合には（ステップＳ７１６肯定）、搬送制御部８２によって一時集積部２５が紙幣および金券を搬送路４０に繰り出すように制御する（ステップＳ７１７）。そして、紙幣処理装置１０は、搬送制御部８２によって搬送路４０が紙幣および金券を入出機構２２まで搬送するように制御し（ステップＳ７１８）、入出金口２１がシャッタを開けるように制御する（ステップＳ７１９）。【００５８】
そして、紙幣処理装置１０は、搬送制御部８２によって入出機構２２内部を監視し（ステップＳ７２０）、入出機構２２内部が空になった場合には（ステップＳ７２０肯定）、入出金口２１がシャッタを閉めるように制御する（ステップＳ７２１）。その後、一時保留部２４内部に紙葉類を保留している場合には（ステップＳ７２２肯定）、搬送制御部８２によって一時保留部２４が内部の紙葉類を搬送路４０に繰り出すように制御する（ステップＳ７２３）。そして、紙幣処理装置１０は、搬送制御部８２によって搬送路４０が当該繰り出された紙葉類（紙幣または金券のリジェクト券）を識別判定機構２３まで搬送するように制御する（ステップＳ７２４）。そして、紙幣処理装置１０は、識別判定機構制御部８４によって識別判定機構２３を制御して紙幣および金券を識別し（ステップＳ７２５）、真券である場合には（ステップＳ７２６否定）、搬送制御部８２によって搬送路４０が紙幣を該当する汎用収納庫３２ａ〜３２ｅへそれぞれ搬送するように制御する（ステップＳ７２８）。なお、識別の結果、リジェクト券である場合には（ステップＳ７２６肯定）、紙幣処理装置１０は、搬送制御部８２によって搬送路４０が紙幣および金券を回収庫３１まで搬送するように制御し（ステップＳ７２７）、処理を終了する。【００５９】
また、図８に示すように、紙幣処理装置１０は、入力部５０によって設定の変更要求を受け付けると（ステップＳ８０１肯定）、収納庫設定処理部８５から画像を生成するための情報を出力部６０へ出力することによって、出力部６０の画面に画像を表示する（ステップＳ８０２）。【００６０】
そして、紙幣処理装置１０は、入力部５０によって汎用収納庫に対する設定の変更指示を受け付け、設定情報が入力されると（ステップＳ８０３肯定）、収納庫設定処理部８５によって収納紙葉類テーブル記憶部７３を更新し（ステップＳ８０４）、処理を終了する。【００６１】
ところで、上記の実施例では、各部位に対する出金時の制御を説明したが、本発明に係る紙幣処理装置は、紙幣の入金についても各部位に対する制御が行われるものである。【００６２】
［実施例１の効果］
上記したように、実施例１によれば、紙幣および金券のいずれも収納して繰り出すことができる構造によって紙幣または金券のいずれかをそれぞれ収納する複数の汎用収納庫と、利用者が金券を取り出すことができるように金券を保持する入出機構と、複数の汎用収納庫から入出機構へ紙幣および金券のいずれをも搬送する搬送路と、汎用収納庫から繰り出される紙幣および金券のいずれをも種類を識別する識別判定機構と、を備え、複数の汎用収納庫のうちのいずれに金券が収納されているかを示す金券設定情報を受け付けて記憶する。そして、金券を払い出す場合に、記憶した金券設定情報に該当する収納庫が金券を繰り出し、識別判定機構が識別しつつ搬送路が金券を搬送して入出機構が金券を保持するように各部位を制御するので、製造に掛かるコストが安く、サイズをコンパクトにすることが可能となり、また、仕様の変更に対して柔軟に対応することが可能となる。つまり、金券専用の収納庫、金券専用の識別判定機構、または、金券専用の搬送路をそれぞれ設置する必要がなく、各部位を必要最低限の構成とすることができるので、製造に掛かるコストが安く、サイズをコンパクトにすることが可能となる。また、汎用収納庫を金券専用として設定するだけで、紙幣および金券が同一の搬送路で搬送されつつ、紙幣については紙幣として、金券については金券として同一の識別判定機構で識別されるよう制御するので、新規に金券も取り扱う際に柔軟に対応することが可能となる。また、金券の取り扱いを中断する場合についても、収納庫に対する金券専用としての設定を解除するだけでよいので、柔軟に対応することが可能となる。【００６３】
また、実施例１によれば、利用者が紙幣および金券を取り出すことができるように紙幣および金券のいずれをも入出機構にて保持する。そして、紙幣とともに金券を払い出す場合に、当該紙幣とともに金券を同時に保持するように入出機構を制御するので、金券の取り忘れを防止することが可能となる。つまり、例えば、紙幣が先に払いだされた場合に、利用者が当該紙幣のみを取り出し、後に払いだされる金券に気付かずに取り忘れることを防止することが可能となる。【００６４】
また、実施例１によれば、複数の汎用収納庫にそれぞれ収納される紙幣および金券それぞれの特徴量を記憶し、収納庫から繰り出される対象物の特徴量と、記憶した特徴量とを照合して、汎用収納庫から繰り出される対象物が紙幣、金券またはその他のいずれであるかを識別するので、紙幣と金券とで識別手法を共通化することができ、識別処理の複雑化を回避することが可能となる。【００６５】
また、実施例１によれば、利用者に払い出す紙幣の金額に対応付けて、当該紙幣とともに払い出す金券の額を記憶し、紙幣とともに金券を払い出す場合に、当該紙幣の金額に対応した金券の額を記憶した対応関係より読み出し、当該額に対応する分の金券を繰り出すので、例えば、多くの金額を出金する利用者ほど多くの金券を払い出すことが可能となる。
【実施例２】
【００６６】
さて、これまで本発明の実施例について説明したが、本発明は上述した実施例以外にも、種々の異なる形態にて実施されてよいものである。そこで、以下に示すように、（１）〜（６）にそれぞれ区分けして異なる実施例を説明する。【００６７】
（１）金券と紙幣との順番
上記の実施例１では、一時集積部２５に先に集積されるものが金券であり、金券が入出機構２２内部へ先に搬送される場合を説明したが、本発明はこれに限定されるものではなく、先に入出機構２２内部に集積されるものを金券とするか、紙幣とするかを選択するようにしてもよい。【００６８】
これについて説明すると、紙幣処理装置１０は、紙幣とともに金券を払い出す際に当該紙幣および金券のうちのいずれを先に入出機構２２内部へ搬送するかを示す搬送設定情報を受け付けて記憶し、紙幣とともに金券を払い出す場合に、記憶した搬送設定情報に応じて、紙幣および金券のうちのいずれを先に取り出し口へ搬送するように搬送路を制御する。【００６９】
具体的には、図９に示すように、紙幣処理装置１０は、紙幣または金券のいずれを先に払い出すかの設定を受け付けるための画像を装置外面に設けられた画面に表示する。そして、紙幣処理装置１０は、外面に設けられたタッチパネルが管理者によって触れられることで入力部５０より受け付けた設定情報を記憶部７０に記憶する。そして、紙幣処理装置１０は、ユーザから出金要求を受け付けると、記憶部７０に記憶した設定情報を読み出し、金券を先に払い出す設定であれば金券を先に払い出すように各部位を制御し、紙幣を先に払い出す設定であれば紙幣を先に払い出すように各部位を制御する。なお、図９は、払い出す順番に係る設定を受け付ける際に出力部の画面に表示される画像の例を示す図である。こうすることによって、例えば、金券を札束の上に配置することで、利用者に最初に金券を見させることが可能となる。【００７０】
（２）金券に対する識別判定
また、上記の実施例１では、紙幣とともに金券についても真券か、リジェクト券かを識別するものとして説明したが、本発明はこれに限定されるものではなく、識別対象を紙幣のみにしてもよい。【００７１】
これについて説明すると、紙幣処理装置１０は、金券を払い出す際に識別判定機構２３による識別機能を有効にするか無効にするかを示す識別設定情報を受け付けて記憶し、識別機能が有効である旨の設定情報が記憶されている場合に限り、収納庫が繰り出した金券を識別するように識別判定機構２３を制御する。【００７２】
具体的には、図１０に示すように、紙幣処理装置１０は、紙幣および金券の両方を識別対象とするか、紙幣のみを識別対象とするかの設定を受け付けるための画像を装置外面に設けられた画面に表示する。そして、紙幣処理装置１０は、外面に設けられたタッチパネルが管理者によって触れられることで入力部５０より受け付けた設定情報を記憶部７０に記憶する。そして、紙幣処理装置１０は、ユーザから出金要求を受け付けると、記憶部７０に記憶した設定情報を読み出し、紙幣および金券の両方を識別対象とする設定であれば両方を識別するように各部位を制御し、紙幣のみを識別対象とする設定であれば紙幣のみを識別するように各部位を制御する。なお、図１０は、識別対象に係る設定を受け付ける際に出力部の画面に表示される画像の例を示す図である。こうすることによって、金券に対する識別に費やされていた時間分だけ処理時間を短縮して紙幣および金券を差し出すことが可能となる。【００７３】
（３）識別手法
また、上記の実施例１では、紙幣および金券それぞれの特徴量を共通のテーブルで記憶した識別判定基準記憶部７２に基づいて識別する場合を説明したが、本発明はこれに限定されるものではなく、紙幣および金券が一つの識別判定機構２３で識別されればいかなる識別手法であってもよく、例えば、紙幣の特徴量と、金券の特徴量とをそれぞれ別のテーブルに記憶するようにしてもよい。その場合には、搬送制御部８２は、識別判定機構制御部８４に識別判定機構２３の制御の開始を指示する信号を出力する際、紙幣または金券いずれのテーブルを参照するかの指示も付加することが望ましい。【００７４】
（４）出金の同時性
また、上記の実施例１では、入出金口２１のシャッタが開いたときに紙幣と金券が入出機構２２内部に同時に保持される場合を説明したが、本発明はこれに限定されるものではなく、例えば、入出機構２２内部に金券のみを集積して入出金口２１のシャッタを開け、ユーザが金券を取り出した場合に入出金口２１のシャッタを閉め、次に入出機構２２内部に紙幣のみを集積して入出金口２１のシャッタを再び開けるようにしてもよい。【００７５】
（５）金券の補充
また、上記の実施例１では、金券を収納するものとして設定した汎用収納庫には予め金券が収納されているものとして説明したが、本発明はこれに限定されるものではなく、所定の操作や作業により金券が補充されるものであってもよい。例えば、紙幣処理装置１０は、管理者の補充作業によって入出機構２２に補充用の金券が保持された場合に、金券を収納するものとして設定された汎用収納庫に補充用の金券を搬送するように、搬送制御部８２によって搬送路４０を制御するようにしてもよい。こうすることによって、汎用収納庫を取り外して補充する手法に比較して、簡易な作業で金券を補充できる。【００７６】
また、汎用収納庫は、紙幣処理装置１０に対して着脱可能に取り付けられるものであって、紙幣処理装置１０から取り外された状態で補充用の金券を受け入れて収納してもよい。こうすることによって、入出金口から補充する手法に比較して、確実に金券を補充できる。【００７７】
（６）システム構成等
また、図示した各装置の各構成要素は機能概念的なものであり、必ずしも物理的に図示の如く構成されていることを要しない。すなわち、各装置の分散、統合の具体的形態は図示のものに限られず、例えば、金券払出し金額決定部８１と、搬送制御部８２とを統合するなど、その全部または一部を、各種の負荷や使用状況などに応じて、任意の単位で機能的または物理的に分散、統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００７８】
以上のように、本発明に係る紙幣処理装置は、利用者に紙幣を払い出すとともに金券を払い出す場合に有用であり、製造に掛かるコストが安く、サイズをコンパクトにすることに適し、また、仕様の変更に対して柔軟に対応することに適する。
【図１】
2008146366.tif 000003
【図２】
2008146366.tif 000004
【図３】
2008146366.tif 000005
【図４】
2008146366.tif 000006
【図５】
2008146366.tif 000007
【図６】
2008146366.tif 000008
【図７】
2008146366.tif 000009
【図８】
2008146366.tif 000010
【図９】
2008146366.tif 000011
【図１０】
2008146366.tif 000012
【国際調査報告】
2008146366.tif 000013
2008146366.tif 000014
2008146366.tif 000015
2008146366.tif 000016